(57)【要約】      （修正有）【課題】方向転換しなくて良く容易に使用出来る介護トイレを提供する。【解決手段】便器の幅を１５〜４０ｃｍ、高さを２０〜６０ｃｍにし、前方と後方の幅を同じにして、便座に手が入る開口部を設ける。【選択図】図５
0003179675.tif 000002
【実用新案登録請求の範囲】
【請求項１】
和式トイレのように跨げトイレに座れるようにするには、和式トイレより高さを高く幅を狭くして洋式トイレより高さを低く幅を狭くして使用される方に合わせてコンパクトに使いやすくする事、また車椅子でトイレの横まで来てスペースがあるときは、そのまま方向転換をせずに横に座るだけでトイレができます、方向転換してトイレを使用されたい方は、方向転換してもトイレを使用する事ができます。トイレの前で方向転換しても方向転換しなくてもトイレが使用出来る事を特徴とする通常用兼用介護トイレ。
【請求項２】
トイレ後方部分が開け閉め出来る事により介護を必要とされる方は今までより容易にトイレが使用でき、介護者や付き添いの方が介護を必要とされる方の為にトイレ介護を今までより容易に出来るようにした事を特徴とする通常用兼用介護トイレ。
【考案の詳細な説明】
【技術分野】
【０００１】
本考案は、体に障害が有りトイレに行く事に負担を感じていられる方の負担を少なくし介護者や付き添いの方の負担も少なくしてトイレ介助が、今までのトイレより容易に出来るようにする為のトイレに関するものである。
【背景技術】
【０００２】
体に障害が有り介護を必要とされ車椅子を使用される方が、トイレに行かれるときトイレの前で方向転換をしなければならないとき、ほんの少しの事でも負担や痛みを感じられる事が有りました。このような問題を解決する為にトイレの前で方向転換しなくていい通常用兼用介護トイレを提供します。
【考案の概要】
【考案が解決しようとする課題】
【０００３】
通常使用されているトイレは、トイレのドアから入ってトイレの前で車椅子から一度立った姿勢になり方向転換をしてトイレに座らなければいけません。介護者が介護を必要とされる方のトイレ介助をするとき方向転換をしなければトイレにすわれない為、ゆっくり大切に介助して方向転換しても痛みがあられる時などあります。
【０００４】
介護施設などにもトイレが有りますが多くは方向転換をしなければいけないトイレです。介護施設などをご利用される方は１日に１０人前後から２０人以上など小規模施設、大規模施設さまざまですが施設をご利用になられる方は朝から夕方までや１日中などさまざまです。ご利用される方はお一人でも１日に何回もトイレを使用されます。施設をご利用される方が多いほどトイレを使われる回数が多くなります。トイレをご使用される方の負担も少なくして介護付き添いの方の負担も少なくする必要があります。
【０００５】
健常な人や自力でトイレに行く事が出来る方はどんな向きにも対応できますが、体に障害が有り介護を必要とされる方には通常使用されているトイレはすべての方に向いているとは言えません。このような問題点を解決して方向転換しても方向転換しなくても使用できる通常用兼用介護トイレを提供します。
【課題を解決するための手段】
【０００６】
体に障害が有り介護を必要とする方がトイレに行かれる時、トイレの前で向きを変えなくてもトイレに行くことが出来るようにする為には、トイレの前で方向転換しなくていいようにドアから入ってそのまま前向きに前進して和式トイレのように跨いで便座に座れるようにします。又車椅子がトイレの横に並べるスペースが有れば車椅子でトイレの横に来て方向転換せずに横に一二歩ずれるだけでトイレ座部に座れ使用できます。その為には通常の和式トイレより便座が高くなり幅がコンパクトにもなり・洋式トイレより幅と高さがコンパクトにもなりトイレを使用される方に合わせてトイレの幅を狭くして高さを低くしたり調節します。貯水タンクなどは歩行やトイレ介助の邪魔にならないように壁側など希望に合わせて配置します。トイレの前で方向転換しても方向転換しなくても使用できる通常用兼用介護トイレを提供します。
【０００７】
介護トイレに座られた時座られた方のおしりが手前に来る為、介護者はトイレ介助がしやすくなりますがトイレ介護をする時、手が便器にあたり拭けない時が有ります。介護者の手が便器にあたらずスムーズに拭けるようにする為には介護を必要とされる方が座られるトイレ後方部に開口部を設けます。介護者や付き添いの方が介護を必要とされる方の負担を少なくし介護出来る通常用兼用介護トイレを提供します。
【考案の効果】
【０００８】
介護を必要とされる方がお一人１日に何回も使用されるトイレ、今までトイレに行き方向転換をする時負担を感じられる時もありましたが、トイレで方向転換しなくても前向きに座れるトイレにする事によりトイレが容易に出来ます。又方向転換して座るほうがいい方は、方向転換して座れます方向転換しても方向転換しなくても使用できます。
【０００９】
介護を必要とされる方が方向を転換せずにトイレに座わられたら体も前に来て拭きやすくなります。しかしトイレ介助をする時に手が便器にあたり拭けない時が有ります開口部を付ければ便座が手にあたらずトイレ介助が出来ます。開口部は開け閉めができ介護者や付き添いの方が介護を必要とされる方の為にトイレ介助ができます。
【図面の簡単な説明】
【００１０】
【図１】通常用兼用介護トイレ正面図
【図２】通常用兼用介護トイレ横から見た図
【図３】通常用兼用介護トイレ座部を上げ正面から見た図
【図４】通常用兼用介護トイレ座部を上げ横から見た図
【図５】通常用兼用介護トイレ開口部開け閉め図
【図６】通常用兼用介護トイレ上から見た図
【考案を実施するための形態】
【実施例】
【００１１】
図１は通常用兼用介護トイレ正面図です。１は便器  ２はスリッパ―  ３は取っ手  ４は回転軸  ５は開口部開け閉め部分  ６台座部分、方向転換しなくても方向転換しても使用できます。
【００１２】
図２は通常用兼用介護用トイレ横から見た図です。
【００１３】
図３は通常用兼用介護トイレ座部を上げ正面から見た図です。便座に座らずに使用する時。
【００１４】
図４は通常用兼用介護用トイレ座部を上げ横から見た図です。
【００１５】
図５は通常用兼用介護用トイレ座部開口部開け閉め図です。介護を必要とされている方が方向転換せずにトイレに座られた時、座部開口部が開け閉め出来トイレ介助を今までより容易に出来るようにする。
【００１６】
図６は通常用兼用介護用トイレ上から見た図です。
【符号の説明】
【００１７】
１  便器  
２  スリッパ―
３  取っ手
４  回転ネジ
５  開け閉め部分
６  台座部分
【図１】
0003179675.tif 000003
【図２】
0003179675.tif 000004
【図３】
0003179675.tif 000005
【図４】
0003179675.tif 000006
【図５】
0003179675.tif 000007
【図６】
0003179675.tif 000008
【手続補正書】
【提出日】平成24年8月27日(2012.8.27)
【手続補正１】
【補正対象書類名】実用新案登録請求の範囲
【補正対象項目名】全文
【補正方法】変更
【補正の内容】
【実用新案登録請求の範囲】
【請求項１】
通常用トイレと体に障害が有り車椅子を使用してある方も使われる介護トイレにおいて便器の幅１５ｃｍ〜４０ｃｍ高さ２０ｃｍ〜６０ｃｍにし前からでも後ろからでも使用できるように前方と後方の幅を同じにした事を特徴とする通常用兼用介護トイレ。
【請求項２】
便座に手が入る開口部を設けた事を特徴とする請求項１記載の通常用兼用介護トイレ。